(57)【要約】【課題】簡単に安全性を向上できる冷蔵庫を提供する。【解決手段】制御回路を収納するとともに一面に開口部４０ａを有する樹脂製の電装ボックス４０と、開口部４０ａに被嵌される不燃性の第１電装カバー４１と、開口部４０ａに対向した裏面に被嵌される不燃性の第２電装カバー４２と、電装ボックス４０の周面に突設して第１、第２電装カバー４１、４２を係止するフランジ部４３とを備え、フランジ部４３は、開口部４０ａの周縁に設けられるとともに裏面側が開口して第２電装カバー４２が挿入される内周側溝４６と、内周側溝４６の外周側に隣接して配されるとともに開口部４０ａ側が開口して第１電装カバー４１が挿入される外周側溝４７とを有し、フランジ４３内で第１、第２電装カバー４１、４２の周面が重なって配置されるようにした。【選択図】図１６
2009002630.tif 000002
【特許請求の範囲】
【請求項１】
制御回路を収納するとともに一面に開口部を有する樹脂製の電装ボックスと、前記開口部に被嵌される不燃性の第１電装カバーと、前記開口部に対向した裏面に被嵌される不燃性の第２電装カバーと、前記電装ボックスの周面に突設して第１、第２電装カバーを係止するフランジ部とを備え、前記フランジ部は、前記開口部の周縁に設けられるとともに前記裏面側が開口して第２電装カバーが挿入される内周側溝と、前記内周側溝の外周側に隣接して配されるとともに前記開口部側が開口して第１電装カバーが挿入される外周側溝とを有し、前記フランジ内で第１、第２電装カバーの周面が重なって配置されることを特徴とする冷蔵庫。
【請求項２】
制御回路を収納するとともに一面に開口部を有する樹脂製の電装ボックスと、前記開口部に被嵌される不燃性の第１電装カバーと、前記開口部に対向した裏面に被嵌される不燃性の第２電装カバーと、前記電装ボックスの周面に突設して第１、第２電装カバーを係止するフランジ部とを備え、前記フランジ部は、前記裏面の周縁に設けられるとともに前記開口部側が開口して第１電装カバーが挿入される内周側溝と、前記内周側溝の外周側に隣接して配されるとともに前記裏面側が開口して第２電装カバーが挿入される外周側溝とを有し、前記フランジ内で第１、第２電装カバーの周面が重なって配置されることを特徴とする冷蔵庫。
【請求項３】
前記電装ボックスが配される室内の底面を成す不燃性の底板と、前記電装ボックスの下面に形成した孔部から下方に導出されるハーネスと、前記電装ボックスから前記底板近傍まで延びて前記ハーネスを覆う遮蔽板とを備えたことを特徴とする請求項１または請求項２に記載の冷蔵庫。
【請求項４】
前記ハーネスの被覆または前記ハーネスを覆う保護チューブが難燃性もしくは自己消化性を有することを特徴とする請求項３に記載の冷蔵庫。
【請求項５】
第１、第２電装カバーの少なくとも一部が接することを特徴とする請求項１〜請求項４のいずれかに記載の冷蔵庫。
【発明の詳細な説明】
【技術分野】
【０００１】
本発明は、制御基板を収納する電装ボックスを備えた冷蔵庫に関する。
【背景技術】
【０００２】
従来の冷蔵庫は特許文献１に開示されている。この冷蔵庫は圧縮機等の機械類が配される機械室を備えている。機械室はアングルにより囲まれ、一側部のアングルに電装ボックスが取り付けられる。電装ボックスはコンデンサやスイッチ素子等の電装部品を有した制御回路が収納される。制御回路によって上記の機械類が制御される。電装ボックスは難燃性の樹脂成形品から成り、内部の電装部品が発火しても外部への延焼が抑制される。
【０００３】
【特許文献１】特開平８−２１９６３５号公報（第４頁−第６頁、第３図）
【発明の開示】
【発明が解決しようとする課題】
【０００４】
近年、安全性に対して消費者の目が厳しくなり、より安全性の高い冷蔵庫が求められている。電装ボックスを不燃性の金属によって形成すると延焼を確実に防止することができるため冷蔵庫の安全性を向上できる。しかしながら、絞り加工等による密閉構造の形成が困難となるとともに、電装ボックス内部の配線の短絡を防止する構成が複雑になる。このため、冷蔵庫のコストが増加する問題があった。
【０００５】
本発明は、簡単に安全性を向上できる冷蔵庫を提供することを目的とする。
【課題を解決するための手段】
【０００６】
上記目的を達成するために本発明は、制御回路を収納するとともに一面に開口部を有する樹脂製の電装ボックスと、前記開口部に被嵌される不燃性の第１電装カバーと、前記開口部に対向した裏面に被嵌される不燃性の第２電装カバーと、前記電装ボックスの周面に突設して第１、第２電装カバーを係止するフランジ部とを備え、前記フランジ部は、前記開口部の周縁に設けられるとともに前記裏面側が開口して第２電装カバーが挿入される内周側溝と、前記内周側溝の外周側に隣接して配されるとともに前記開口部側が開口して第１電装カバーが挿入される外周側溝とを有し、前記フランジ内で第１、第２電装カバーの周面が重なって配置されることを特徴としている。
【０００７】
この構成によると、樹脂成形品から成る電装ボックスは開口部及び裏面にそれぞれ被嵌される不燃性の第１、第２電装カバーによって覆われる。第１、第２電装カバーは開口部周縁に設けた例えば断面Ｓ字状に形成されるフランジ部の外周側溝及び内周側溝にそれぞれ挿入して係止される。第１、第２電装カバーの周面はフランジ部内で法線方向に重なって配置される。
【０００８】
また本発明は、制御回路を収納するとともに一面に開口部を有する樹脂製の電装ボックスと、前記開口部に被嵌される不燃性の第１電装カバーと、前記開口部に対向した裏面に被嵌される不燃性の第２電装カバーと、前記電装ボックスの周面に突設して第１、第２電装カバーを係止するフランジ部とを備え、前記フランジ部は、前記裏面の周縁に設けられるとともに前記開口部側が開口して第１電装カバーが挿入される内周側溝と、前記内周側溝の外周側に隣接して配されるとともに前記裏面側が開口して第２電装カバーが挿入される外周側溝とを有し、前記フランジ内で第１、第２電装カバーの周面が重なって配置されることを特徴としている。
【０００９】
この構成によると、樹脂成形品から成る電装ボックスは開口部及び裏面にそれぞれ被嵌される不燃性の第１、第２電装カバーによって覆われる。第１、第２電装カバーは裏面周縁に設けた例えば断面Ｓ字状に形成されるフランジ部の内周側溝及び外周側溝にそれぞれ挿入して係止される。第１、第２電装カバーの周面はフランジ部内で法線方向に重なって配置される。
【００１０】
また本発明は、上記構成の冷蔵庫において、前記電装ボックスが配される室内の底面を成す不燃性の底板と、前記電装ボックスの下面に形成した孔部から下方に導出されるハーネスと、前記電装ボックスから前記底板近傍まで延びて前記ハーネスを覆う遮蔽板とを備えたことを特徴としている。
【００１１】
この構成によると、電装ボックスは機械室等に配され、室内の底面は鉄板等の不燃性の底板により形成される。電装ボックスの下面には孔部が形成され、制御回路に接続されるハーネスは孔部から下方に延びて設けられる。電装ボックスの下方には遮蔽板が設けられ、ハーネスが覆われる。
【００１２】
また本発明は、上記構成の冷蔵庫において、前記ハーネスの被覆または前記ハーネスを覆う保護チューブが難燃性もしくは自己消化性を有することを特徴としている。
【００１３】
また本発明は、上記構成の冷蔵庫において、第１、第２電装カバーの少なくとも一部が接することを特徴としている。この構成によると、例えば、内周側溝の底壁の一部に貫通孔が形成され、貫通孔内に第２電装カバーに形成した突起を挿通して第１、第２電装カバーが接する。
【発明の効果】
【００１４】
本発明によると、樹脂製の電装ボックスを覆う不燃性の第１、第２電装カバーがフランジ部によって周面が重なって係止されるので、電装ボックス内で発火しても第１、第２電装カバーによって延焼が防止される。また、フランジ部が開口部または裏面の周縁に設けられるため、例えば開口部に面した第１電装カバーの表面と第２電装カバーの周面の先端とが接近して配される。従って、電装ボックスからの延焼をより確実に防止することができ、冷蔵庫の安全性を向上することができる。
【００１５】
また本発明によると、室内の底面を成す不燃性の底板近傍まで延びて電装ボックスの下方に延びるハーネスを覆う遮蔽板を備えたので、メンテナンス等の際に手指がハーネスに接触する危険を回避することができる。
【００１６】
また本発明によると、ハーネスの被覆またはハーネスの保護チューブが難燃性もしくは自己消化性を有するので、第１、第２電装カバーに覆われないハーネスを介した延焼を防止することができる。
【００１７】
また本発明によると、第１、第２電装カバーの少なくとも一部が接するので、電装ボックス内がシールドされる。従って、圧縮機の雑音等の電波による制御回路に対する障害を防止することができる。
【発明を実施するための最良の形態】
【００１８】
以下に本発明の実施形態を図面を参照して説明する。図１、図２は一実施形態の冷蔵庫を示す側面断面図及び正面断面図である。冷蔵庫１は断熱箱体３３の上部に冷凍室２が設けられ、冷凍室２の下方には冷蔵室３が設けられる。冷凍室２と冷蔵室３とは断熱材を充填した仕切壁４により仕切られる。冷凍室２の前面は扉２ａにより開閉され、冷蔵室３の前面は扉３ａにより開閉される。
【００１９】
冷凍室２の背面には冷凍室ダクト１０が設けられる。冷凍室ダクト１０の前面側の上部には吐出口１０ａが設けられ、下部には戻り口１０ｂが設けられる。冷凍室ダクト１０内には冷気を生成する冷却器５が配され、冷却器５の上方に送風ファン６が配される。冷却器５の下方には冷却器５の除霜水を回収するドレンパン１１が設けられる。また、冷凍室ダクト１０は送風ファン６の排気側で分岐して冷却器５の右方に配された連通路７を有している。
【００２０】
冷蔵室３の上部にはチルド温度帯等の低温保存が可能な低温ケース１８が配される。低温ケース１８の背面は開口し、後述する吐出口２０ｃから冷気が流入する。低温ケース１８の下方には樹脂成形品により形成して貯蔵物を載置する複数の載置棚１３が設けられる。載置棚１３は冷蔵室３の側壁に突設された複数のレール１３ａの上面に載せられ、高さ方向の位置を貯蔵物にあわせて適時変えられるようになっている。
【００２１】
冷蔵室３の下部には隔離室から成る野菜室１６が設けられる。野菜室１６は樹脂成形品により形成された板状の仕切部１４により冷蔵室３の上部と仕切られる。仕切部１４の上下は仕切部１４の前方の連通部１４ａで連通する。また、仕切部１４の後端には開口部１４ｂが設けられる。野菜室１６内には仕切部１４により上面が塞がれる収納ケース１５が出し入れ自在に配される。収納ケース１５は野菜室１６の壁面との間に冷気が流通する隙間１６ａを有して配される。
【００２２】
冷蔵室３の背面には鉛直方向に延びた吐出通路２０及び戻り通路２３が並設される。図３は図２のＡ−Ａ断面図を示している。吐出通路２０及び戻り通路２３は複数の通路を有した発泡樹脂成形品の断熱材から成るダクト２６を冷蔵室３の背壁に取り付けて形成される。これにより、吐出通路２０と戻り通路２３とが一体に形成され、部品点数を削減することができる。
【００２３】
ダクト２６の上記各通路は断熱材によって隔てられる。このため、吐出通路２０を流通する冷気と戻り通路２３を流通する冷気に温度差があっても、これらの間の冷熱の受け渡し量が微小となる。このため、吐出通路２０を流通する冷気の冷熱が戻り通路２３を流通する冷気に伝達されることによる冷蔵室３の冷却効率の低下を防止することができる。
【００２４】
また、ダクト２６の前面側は樹脂成形品から成るパネル２７により覆われている。ダクト２６とパネル２７とは夫々に設けた凹部と凸部（不図示）とが係合して一体となり、冷蔵室３の背面に着脱自在に取り付けられている。
【００２５】
図４は吐出通路２０を通る断面を示す側面断面図である。吐出通路２０は上部でダンパ１７を介して連通路７に連通する。また、図５は図２のＢ−Ｂ断面図を示している。吐出通路２０はダンパ１７の下方で戻り通路２３の前面側に配された分岐部２０ａを有している。
【００２６】
図２において、吐出通路２０は分岐部２０ａで左右に分岐し、戻り通路２３の左右にそれぞれ配された左通路２１及び右通路２２を有している。左通路２１の左側面及び右通路２２の右側面には冷気を吐出する複数の吐出口２０ｂがそれぞれ設けられる。
【００２７】
戻り通路２３は上部で左右に分岐した第１、第２分岐路２４、２５を有している。図６は戻り通路２３を通る断面を示す側面断面図である。第１、第２分岐路２４、２５は冷凍室ダクト１０の背面側に配される。冷却器５の下方で冷凍室ダクト１０の背面側に開口した連通口２４ａ、２５ａを介して冷凍室ダクト１０と第１、第２分岐路２４、２５とが連通する。
【００２８】
戻り通路２３は前面側を覆うパネル２７の下端に正面に開口する戻り口２３ａが設けられる。また、戻り通路２３は下面が開口し、開口部１４ｂ（図１参照）に面した戻り口２３ｂが形成される。戻り口２３ａ、２３ｂは仕切部１４（図１参照）の上方に配される。
【００２９】
ドレンパン１１の排水口１１ａの下方には排水パイプ１２の受け部１２ａが配される。図６に示すように、受け部１２ａは第１、第２分岐路２４、２５の前方に配される。排水パイプ１２は受け部１２ａから第１、第２分岐路２４、２５の間を通って後方に延び、戻り通路２３の背後に配されて下方に延びる。ドレンパン１１に溜まる除霜水は排水パイプ１２を介して蒸発皿（不図示）に排水される。従って、戻り通路２３は第１、第２分岐路２４、２５に分岐して流路面積が縮小されず、戻り通路２３と排水パイプ１２の干渉を簡単に防止することができる。
【００３０】
図７は冷蔵庫１の下部の背面図を示している。また、図８、図９はそれぞれ図７のＣ−Ｃ断面図及びＤ−Ｄ断面図を示している。冷蔵庫１の下部後方には機械室３０が形成される。機械室３０は断熱箱体３３によって前面及び上面が囲まれ、鉄板から成る底板３２によって底面が形成される。機械室３０の背面側の両側端には断熱箱体３３に取り付けられるアングル３４、３５が立設される。
【００３１】
機械室３０内には冷却器５（図１参照）に接続される圧縮機３１が底板３２上に設置される。圧縮機３１は冷凍サイクルを運転し、冷凍サイクルの低温側に配された冷却器５によって冷気が生成される。
【００３２】
また、機械室３０の一方の側部には制御回路を収納する電装ボックス４０が設置される。電装ボックス４０はアングル３５に取付けられる。電装ボックス４０の下方にはハーネス３６、３７が導出される。ハーネス３６、３７は断熱箱体３３内を通り、冷蔵庫１の各部の電装部品に接続される。
【００３３】
尚、ハーネス３６、３７の被覆またはハーネス３６、３７の周囲を覆うように設けた保護チューブは、難燃性もしくは自己消化性を有している。これにより、ハーネス３６、３７の被覆や保護チューブの発火防止を図るとともに、ハーネス３６、３７が着火したときの他の部分への類焼を防いでいる。
【００３４】
電装ボックス４０は冷蔵庫１の背面側が開口する開口部４０ａ（図１０参照）を有した箱状に形成される。電装ボックス４０の開口部４０ａは第１電装カバー４１により塞がれている。電装ボックス４０の裏面及び周面は第２電装カバー４２により覆われている。
【００３５】
図１０は電装ボックス４０及び第１、第２電装カバー４１、４２の分解斜視図を示している。電装ボックス４０は難燃性の樹脂成形品から成り、一面に開口部４０ａが形成される。電装ボックス４０の開口部４０ａの周縁には詳細を後述するように第１、第２電装カバー４１、４２を係止するフランジ部４３が形成される。電装ボックス４０の下面にはハーネス３６、３７を導出する孔部４０ｂが形成される。
【００３６】
第１、第２電装カバー４１、４２は鉄板やステンレス鋼板等の不燃性材料から成り、周部を折曲して形成される周面には複数の係合孔４１ａ、４２ａがそれぞれ設けられる。第１電装カバー４１は開口部４０ａに被嵌され、第２電装カバー４２は電装ボックス４０の裏面に被嵌される。
【００３７】
図１１は電装ボックス４０の正面図を示している。電装ボックス４０内に配される制御回路は制御基板４９を有し、制御基板４９に種々の電装部品を実装して冷蔵庫１の各部を制御する。電装ボックス４０の下面には孔部４０ｂの両外側から遮蔽板４４が突出して設けられる。
【００３８】
図１２〜図１５は電装ボックス４０に第１、第２電装カバー４１、４２を装着した状態の正面図、右側面図、左側面断面図及び底面図をそれぞれ示している。第１電装カバー４１はネジ４８によって電装ボックス４０に取り付けられる。第１電装カバー４１には下方に延びる遮蔽板４５が設けられる。
【００３９】
遮蔽板４４、４５は電装ボックス４０を取り付けた際に機械室３０の底板３２（図８参照）近傍まで延びて形成される。遮蔽板４４、４５によって電装ボックス４０の下方に延びるハーネス３６、３７が覆われる。これにより、メンテナンス等の際に手指がハーネス３６、３７に接触する危険を回避することができる。
【００４０】
図１６は図１４のＥ部詳細図を示している。開口部４０ａの周縁に一体成形されるフランジ部４３は内周側溝４６及び外周側溝４７を有している。内周側溝４６は開口部４０ａの周縁に設けられ、電装ボックス４０の裏面側が開口する。外周側溝４７は内周側溝４６の外周側に隣接して配され、開口部４０ａ側が開口する。これにより、フランジ部４３は断面が略Ｓ字状に形成される。
【００４１】
内周側溝４６及び外周側溝４７の外周側の壁面にはそれぞれ複数の係合爪４６ａ、４７ａが突設される。第２電装カバー４２は周面が内周側溝４６に挿入され、係合孔４２ａが係合爪４６ａに係合して係止される。この時、第２電装カバー４２の周面の先端は内周側溝４６の底壁４６ｃに当接している。
【００４２】
第１電装カバー４１は周面が外周側溝４７に挿入され、係合孔４１ａが係合爪４７ａに係合して係止される。この時、第１電装カバー４１はフランジ部４３に接して配される。これにより、第１、第２電装カバー４１、４２は周面が法線方向に重なって配される。また、第１、第２電装カバー４１、４２は前後方向に接近し、フランジ部４３の肉厚ｔだけ離れて配される。
【００４３】
また、図１７の上面断面図に示すように、内周側溝４６の底壁４６ｃには挿通孔４６ｂが形成される。第２電装カバー４２の先端には挿通孔４６ｂに挿通して第１電装カバー４１に接する突起部４２ｂが設けられる。これにより、第１、第２電装カバー４１、４２が接して電装ボックス４０内がシールドされる。従って、圧縮機３１（図７参照）の雑音等の電波による制御回路に対する障害を防止することができる。
【００４４】
上記構成の冷蔵庫１において、送風ファン６の駆動によって冷凍室ダクト１０を流通する空気は冷却器５と熱交換して冷気が生成される。冷却器５により生成された冷気は吐出口１０ａから矢印Ｅ１（図１参照）に示すように冷凍室２内に吐出される。冷凍室２に吐出された冷気は冷凍室２内を流通して貯蔵物を冷却し、戻り口１０ｂを介して冷却器５に戻る。
【００４５】
また、送風ファン６の排気側で冷気は矢印Ｅ２（図２、図４参照）に示すように分岐し、連通路７を流通する。連通路７を流通する冷気はダンパ１７を介して吐出通路２０に流入し、分岐部２０ａで分岐する。吐出通路２０に流入した冷気の一部は矢印Ｅ３（図１参照）に示すように分岐部２０ａから吐出口２０ｃを介して低温ケース１８内に吐出される。低温ケース１８はダンパ１７を通過した冷気が直ちに多量に供給されるため低温に維持される。低温ケース１８内を流通した冷気は主に低温ケース１８の前面側から冷蔵室３内に流出する。
【００４６】
尚、低温ケース１８内の冷気の冷熱や冷却された貯蔵物の冷熱は低温ケース１８の下面から下方へ放出される。低温ケース１８の下方に配された貯蔵物は低温ケース１８の前方に送られる冷気の降下により直接冷却され、低温ケース１８の下面側から放出される冷熱により間接冷却される。
【００４７】
これにより、後述する吐出口２０ｂから吐出される冷気の量を少なくしても冷蔵室３の下部を充分冷却することができる。特に下段の吐出口２０ｂから吐出される冷気量を抑えることができることになる。従って、冷気が貯蔵物に直接当ることによる貯蔵物の乾燥を極力抑制できるようになる。
【００４８】
分岐部２０ａで分岐した冷気は吐出通路２０の左通路２１及び右通路２２を矢印Ｅ４、Ｅ５（図２、図４参照）に示すように流下する。吐出通路２０を流下する冷気は吐出口２０ｂから矢印Ｅ６（図１〜図４参照）に示すように冷蔵室３内に吐出される。この時、吐出口２０ｂは左通路２１及び右通路２２の側面に設けられるため、図２、図３に示すように側方に向けて吐出される。
【００４９】
冷蔵室３内に吐出された冷気は矢印Ｅ７（図１、図４参照）に示すように載置棚１３に沿って前方へ流通する。吐出口２０ｂが上下方向に複数設けられるので複数の載置棚１３により仕切られた各段の貯蔵物を容易に冷却することができる。尚、吐出口２０ｂが設けられない段の貯蔵物の場合は、上下の載置棚１３に沿って流通する冷気により載置棚１３を介して間接的に冷却される。
【００５０】
載置棚１３に沿って流通する冷気は載置棚１３の前方で矢印Ｅ８（図１、図４参照）に示すように降下する。冷蔵室３の前部を降下する冷気の一部は仕切部１４上を矢印Ｅ９（図１参照）に示すように流通し、正面側の戻り口２３ａを介して戻り通路２３に流入する。
【００５１】
また、冷蔵室３の前部を降下する冷気の一部は仕切部１４の前方の連通部１４ａを介して野菜室１６内に流入する。野菜室１６に流入した冷気は矢印Ｅ１０（図１参照）に示すように収納ケース１５の周囲の隙間１６ａを流通する。尚、隙間１６ａは収納ケース１５の側方にも設けられる。
【００５２】
収納ケース１５の周囲を流通する冷気は後方の開口部１４ｂを介して仕切部１４の上方に流通し、下面側の戻り口２３ｂを介して戻り通路２３に流入する。収納ケース１５は上面を塞ぐ仕切部１４に沿って流通する冷気（Ｅ９）と、周囲の隙間１６ａを流通する冷気（Ｅ１０）によって内部の貯蔵物が間接冷却される。
【００５３】
戻り通路２３に流入した冷気は矢印Ｅ１１（図２、図６参照）に示すように上昇する。戻り通路２３を上昇する冷気は矢印Ｅ１２、Ｅ１３（図２、図６参照）に示すように第１、第２分岐路２４、２５に分岐する。第１、第２分岐路２４、２５を流通する冷気は連通口２４ａ、２５ａを介して冷凍室ダクト１０に流入し、冷却器５に戻る。
【００５４】
本実施形態によると、樹脂製の電装ボックス４０を覆う不燃性の第１、第２電装カバー４１、４２がフランジ部４３によって周面が重なって係止されるので、電装ボックス４０内で発火しても第１、第２電装カバー４１、４２によって延焼が防止される。また、フランジ部４３が開口部４０ａの周縁に設けられるため、開口部４０ａに面した第１電装カバー４１の表面と第２電装カバー４２の周面の先端とがフランジ部４３の肉厚ｔだけ離れて接近して配される。従って、電装ボックス４０からの延焼をより確実に防止することができ、冷蔵庫１の安全性を向上することができる。
【００５５】
また、電装ボックス４０は不燃性の底板３２に近設される。これにより、電装ボックス４０の底面に形成された孔部４０ｂを介して延焼した際に底板３２によって延焼の拡大が防止される。
【００５６】
本実施形態において、フランジ部４３を開口部４０ａの周縁に形成しているが、図１８に示すように電装ボックス４０の裏面の周縁にフランジ部４３を形成してもよい。この時、開口部４１ａ側が開口する内周側溝４６に第１電装カバー４１の周面が挿入され、裏面側が開口する外周側溝４７に第２電装カバー４２の周面が挿入される。同図において、係合爪４６ａ、４７ａ（図１６参照）の記載を省略している。
【００５７】
これにより、上記と同様に、第１、第２電装カバー４１、４２がフランジ部４３によって周面が重なって係止される。また、第２電装カバー４２の表面と第１電装カバー４１の周面の先端とがフランジ部４３の肉厚ｔだけ離れて接近して配される。従って、電装ボックス４０からの延焼を防止することができ、冷蔵庫１の安全性を向上することができる。
【産業上の利用可能性】
【００５８】
本発明によると、制御基板を収納する電装ボックスを備えた冷蔵庫に利用することができる。
【図面の簡単な説明】
【００５９】
【図１】本発明の実施形態の冷蔵庫を示す側面断面図
【図２】本発明の実施形態の冷蔵庫を示す正面断面図
【図３】図２のＡ−Ａ断面図
【図４】本発明の実施形態の冷蔵庫の吐出通路を通る断面を示す側面断面図
【図５】図２のＢ−Ｂ断面図
【図６】本発明の実施形態の冷蔵庫の戻り通路を通る断面を示す側面断面図
【図７】本発明の実施形態の冷蔵庫の下部を示す背面図
【図８】図７のＣ−Ｃ断面図
【図９】図７のＤ−Ｄ断面図
【図１０】本発明の実施形態の冷蔵庫の電装ボックス及び第１、第２電装カバーを示す分解斜視図
【図１１】本発明の実施形態の冷蔵庫の電装ボックスを示す正面図
【図１２】本発明の実施形態の冷蔵庫の電装ボックスに第１、第２電装カバーを取り付けた状態を示す正面図
【図１３】本発明の実施形態の冷蔵庫の電装ボックスに第１、第２電装カバーを取り付けた状態を示す右側面図
【図１４】本発明の実施形態の冷蔵庫の電装ボックスに第１、第２電装カバーを取り付けた状態を示す左側面断面図
【図１５】本発明の実施形態の冷蔵庫の電装ボックスに第１、第２電装カバーを取り付けた状態を示す底面図
【図１６】図１４のＥ部詳細図
【図１７】本発明の実施形態の冷蔵庫の電装ボックスのフランジ部部分を示す上面断面図
【図１８】本発明の実施形態の冷蔵庫の電装ボックスに第１、第２電装カバーを取り付けた状態の他の態様を示す側面断面図
【符号の説明】
【００６０】
１    冷蔵庫
２    冷凍室
３    冷蔵室
４    仕切壁
５    冷却器
６    送風ファン
７    連通路
８、２０  吐出通路
８ａ、２０ｂ、２０ｃ  吐出口
９、２３  戻り通路
９ａ、２３ａ、２３ｂ  戻り口
１０    冷凍室ダクト
１１    ドレンパン
１２    排水パイプ
１３    載置棚
１４    仕切部
１５    収納ケース
１６    野菜室
１７    ダンパ
１８    低温ケース
２１    左通路
２２    右通路
２４    第１分岐路
２５    第２分岐路
２６    ダクト
２７    パネル
３０    機械室
３１    圧縮機
３２    底板
３３    断熱箱体
３６、３７  ハーネス
４０    電装ボックス
４１    第１電装カバー
４１ａ、４２ａ  係合孔
４２    第２電装カバー
４２ｂ  突起部
４３    フランジ部
４４、４５  遮蔽板
４６    内周側溝
４６ａ、４７ａ  係合爪
４６ｂ  挿通孔
４７    外周側溝
４９    制御基板
【図１】
2009002630.tif 000003
【図２】
2009002630.tif 000004
【図３】
2009002630.tif 000005
【図４】
2009002630.tif 000006
【図５】
2009002630.tif 000007
【図６】
2009002630.tif 000008
【図７】
2009002630.tif 000009
【図８】
2009002630.tif 000010
【図９】
2009002630.tif 000011
【図１０】
2009002630.tif 000012
【図１１】
2009002630.tif 000013
【図１２】
2009002630.tif 000014
【図１３】
2009002630.tif 000015
【図１４】
2009002630.tif 000016
【図１５】
2009002630.tif 000017
【図１６】
2009002630.tif 000018
【図１７】
2009002630.tif 000019
【図１８】
2009002630.tif 000020